(57)【特許請求の範囲】
【請求項１】
モータの出力軸に固定され、円環状ディスクが載置されるターンテーブルであって、出力軸に固定される固定部とディスクを支持する支持部及びディスクの中心孔に嵌合することによって該ディスクを調芯する調芯部とが、ゴムによって一体成型されることを特徴とするターンテーブル。
【請求項２】
モータの出力軸に固定され、ディスクが載置されるターンテーブルであって、出力軸に固定される固定部とディスクを支持する支持部とが、ゴムによって一体成型され、剛性の高い芯材が前記ゴムに埋没して設けられることを特徴とするターンテーブル。
【請求項３】
芯材は、強磁性材料から成ることを特徴とする請求項２記載のターンテーブル。
【請求項４】
前記ゴムには、フィラーが含有されることを特徴とする請求項１〜３のいずれかに記載のターンテーブル。
【請求項５】
モータの出力軸に固定され、ディスクが載置されるターンテーブルであって、出力軸に固定される固定部とディスクを支持する支持部とが、フィラーが含有されるゴムによって一体成型され、フィラーの含有量は、固定部が多く、支持部が少ないことを特徴とするターンテーブル。
【請求項６】
フィラーは、繊維状フィラーであることを特徴とする請求項４または５に記載のターンテーブル。
【請求項７】
フィラーは、固定部から支持部に向かう方向に配向されることを特徴とする請求項６記載のターンテーブル。
【請求項８】
軸線方向の少なくともいずれか一方の表面部に、リブが形成されることを特徴とする請求項１〜７のいずれかに記載のターンテーブル。
【請求項９】
請求項１〜８のいずれかに記載のターンテーブルを備えるモータ。
【発明の詳細な説明】
【０００１】
【発明の属する技術分野】
本発明は、ディスクを駆動するモータに備えられ、ディスクを載置するためのターンテーブルに関する。
【０００２】
ディスクは、記録媒体ディスクおよびその他のディスクを含む。記録媒体ディスクは、たとえばコンパクトディスク・リードオンリーメモリ（ＣＤ−ＲＯＭ）、コンパクトディスク（ＣＤ）、デジタルビデオディスク（ＤＶＤ）であってもよいし、前記以外の光磁気ディスクなどであってもよい。
【０００３】
【従来の技術】
図８は、従来の技術のターンテーブル１を備えるモータ２を示す断面図である。ＣＤ−ＲＯＭなどの前記のディスク３を駆動するモータ２は、ステータ４およびロータ５を有するモータ本体６を備えて、このモータ本体６によって回転される出力軸７に、ターンテーブル１が固定されている。モータ２は、ターンテーブル１にディスク３を載置し、ターンテーブル１を回転してディスク３を回転駆動することができる。ターンテーブル１は、剛性の高い金属または合成樹脂から成る基台８に、ディスク３を直接支持するゴム製の支持部材９を接着し、ディスク３をしっかりとかつ滑らないように支持できるように構成される。このような従来の技術のターンテーブル１は、たとえば特開平１０−１８０６４４に開示されている。
【０００４】
図９は、他の従来の技術のターンテーブル１１を備えるモータ１２を示す断面図である。図９のモータ１２は、図８のモータ２と類似しており、特徴部分だけを説明する。図８のモータ２では、ターンテーブル１は、ロータ５とは別体に形成されたけれども、図９のモータ１２では、ロータ５を構成する金属製のヨークがターンテーブル１１の基台１３をも兼ね、この基台１３に支持部材９が接着されている。このようなターンテーブル１１もまた、ディスク３をしっかりとかつ滑らないように支持できるように構成される。
【０００５】
【発明が解決しようとする課題】
パーソナルコンピュータなどで活用されるプログラムは、処理の複雑化および多様化ならびに操作の容易化などを図るために大きくなり、さらに取扱われるデータ、たとえば画像用データのデータ量も大きくなってきている。このような背景から、光学読取り式のディスク状記録媒体（ディスク）などは、記録容量を大きくするために、記録密度が向上されている。たとえばＤＶＤは、従来型のＣＤと同材質および同形状（外径１２ｃｍの円板状）で約７倍に相当する４．７ＧＢの記憶容量を有している。
【０００６】
このような記録密度が高いディスクに対する情報の読取りおよび書込みを実現するためには、読取りおよび書込み用のレーザ光の焦点の小径化だけでなく、ディスクを高精度に回転させることが必要である。特に、ディスク３の記録面が回転軸線Ｌ１に対して傾いて、ディスクの面振れを生じることが大きな問題となっている。回転軸線がディスクの記録面の完全な法線（直交）とならずに、前記面振れを生じると、前記レーザ光を出射する素子とディスク３の記録面との距離が、このレーザ光の焦点距離からずれてしまい、レーザ光を記録面上で焦点させることができなくなる。また面振れは、レーザ光の記録面への照射形状が歪つな独楽のような形状になるいわゆるコマ収差を発生させてしまう。
【０００７】
このような記録面での非焦点およびコマ収差が発生すると、情報の読取りおよび書込みができなくなることがあり、動作不良すなわちエラーが発生してしまう。このエラーの発生を防ぐために、面振れ量は、ターンテーブルのディスク支持面、したがって支持面１５の軸線Ｌ１方向の誤差範囲を４０μｍ以下（ディスクティルト角は、０．３３ｍｒａｄ＝０．０２ｄｅｇ）に規定する場合があるが、さらなる高記録密度化をするためには、さらに振れ量を小さくする必要がある。
【０００８】
したがってディスクを駆動する各モータ２，１２おいて、ディスク３は、回転軸７の軸線（回転軸線）Ｌ１と同軸かつ記録面が軸線Ｌ１に対して垂直な位置に正しく載置されていないと、ディスクの面振れなどを生じて回転特性が悪くなるので、記録面と平行なディスク表面の軸線Ｌ１方向の位置決めをして支持する支持部材９の支持面１５は、軸線Ｌ１に垂直でなければならない。これを実現するために、回転軸７と基台８，１３との軸方向の接触距離を長くする、回転軸７と基台８，１３とのはめあいの公差を小さくする、ターンテーブル自体の軸線に対する支持面の垂直度に規定を設けて製品を選別する、などの対策がとられている。
【０００９】
しかしながら支持部材９は、基台８，１３に直接または間接的に接着されて回転軸７に間接的に固定されるので、基台８，１３および支持部材９の両方の寸法誤差が影響するうえ、接着剤の塗布量、接着用両面テープの厚みおよび支持部材９の接着状態（たとえばヨレおよび撓み）などの接着精度が大きく影響してしまう。したがって精度に大きなばらつきが依然として生じ、上述ような対策だけでは不十分であり、ターンテーブルのエッジにおける誤差を１０μｍ以下（前記エラーの発生を確実に防ぐことができる精度）にすることが困難であるという極めて大きな問題を有する。前記特開平８−１８０６４４に示されるような液状ゴムを印刷または塗布して硬化させる技術でも、基台と支持部材が別体であることによって、同様の問題を有している。
【００１０】
本発明の目的は、ディスクを、その記録面が出力軸の軸線に垂直または極めて垂直に近い状態で載置できるターンテーブル、およびこのターンテーブルを備えてディスクの回転特性の良好なモータを提供することである。
【００１１】
【課題を解決するための手段】
本発明は、モータの出力軸に固定され、ディスクが載置されるターンテーブルであって、
出力軸に固定される固定部とディスクを支持する支持部とが、ゴムによって一体成型されることを特徴とするターンテーブルである。
【００１２】
本発明に従えば、ターンテーブルは、出力軸に固定される固定部とディスクを支持する支持部とが、ゴムによって一体成型されるので、支持部の表面を支持面として、ディスクを滑らないように支持することができ、従来技術のように別途に支持部材を設ける必要がない。これによって固定部と支持部とが別体である場合に比べて、ターンテーブル自体の寸法精度を高くし、支持部のディスクを支持する支持面を、ターンテーブルの軸線に対して垂直または極めて垂直に近く形成することができる。このようなターンテーブルをモータの出力軸に固定するとき、前記支持面が出力軸の軸線に対する垂直度に影響を与えるのは、ターンテーブルの出力軸への取付精度だけであり、この取付精度に加えて支持部の接着精度などの加工精度に基づくターンテーブル自体の寸法精度もが影響する従来の技術に比べて、支持面と出力軸の軸線との垂直度を高くし、垂直または極めて垂直に近くすることができる。
【００１３】
ここでゴムは、天然ゴムであってもよいし、合成ゴムであってもよい。たとえばクロロプレンゴムであってもよい。
【００１４】
また本発明は、前記ゴムには、フィラーが含有されることを特徴とする。
【００１５】
本発明に従えば、前記ゴムにはフィラーが含有されるので、ゴムだけによって形成する場合に比べて、同一寸法における剛性を高くすることができる。これによってターンテーブルの厚みを大きくするなど、寸法を大きくすることなく、ディスクを支持するために必要とされる十分な剛性を得ることができる。
【００１６】
ここでフィラーは、たとえばガラスフィラーであってもよいし、カーボンフィラーであってもよいし、また金属フィラーであってもよい。
【００１７】
また本発明は、フィラーの含有量は、固定部が多く、支持部が少ないことを特徴とする。
【００１８】
本発明に従えば、フィラーの含有量は、固定部が多く、支持部が少ないので、固定部は剛性を高くすることができるとともに、支持部は剛性を低くすることができる。
【００１９】
ここで支持部のフィラー含有量が少ないとは、固定部と比較して少ない量のフィラーが含有されること、およびフィラーが含有されない含有量が「０」であることを含む。
【００２０】
また本発明は、フィラーは、繊維状フィラーであることを特徴とする。
【００２１】
本発明に従えば、フィラーは、繊維状フィラーであるので、マトリックスであるゴムをフィラーにからみやすくすることができる。
【００２２】
また本発明は、フィラーは、固定部から支持部に向かう方向に配向されることを特徴とする。
【００２３】
本発明に従えば、フィラーは、固定部から支持部に向かう方向に配向されるので、固定部に対して支持部を軸線方向に変位させるような曲げに対して剛性をより高くすることができる。
【００２４】
また本発明は、剛性の高い芯材が設けられることを特徴とする。
【００２５】
本発明に従えば、剛性の高い芯材が設けられるので、ゴム（フィラー含有ゴムを含む）によって形成される場合に比べて、同一寸法における剛性を高くすることができる。これによってターンテーブルの厚みを大きくするなど、寸法を大きくすることなく、ディスクを支持するために必要とされる十分な剛性を得ることができる。
【００２６】
この芯材は、金属、合成樹脂またはその他の材料から成ってもよく、芯材に必要とされる剛性、重量およびコストを考慮して、適宜選択することができる。またこの芯材は、たとえばターンテーブルの軸線方向に突出しかつ固定部から支持部に向かう方向に延びるリブを有する形状など、剛性を高くすることができる形状にしてもよいし、ターンテーブル全体の形状に起因する形状であってもよいし、さらにモータに備えられる他の部材との関連によって決定される形状であってもよい。
【００２７】
また本発明は、芯材は、強磁性材料から成ることを特徴とする。
【００２８】
本発明に従えば、芯材は、強磁性材料から成るので、ターンテーブルとともにディスクを挟持してクランプするクランプ体に磁極を形成しておくことによって、ターンテーブルとクランプ体とを磁気吸引させて、ディスクをクランプすることができる。このように、ターンテーブルの剛性を高くするための芯材を、ディスクをクランプするためにも利用することができる。
【００２９】
また本発明は、軸線方向の少なくともいずれか一方の表面部に、リブが形成されることを特徴とする。
【００３０】
本発明従えば、軸線方向の少なくともいずれか一方の表面部に、リブが形成されるので、ターンテーブルの重量を小さくしてかつ剛性を高くすることができる。
【００３１】
また本発明は、前記のターンテーブルを備えるモータである。
【００３２】
本発明に従えば、ディスクを駆動するためのモータには、前述のようなターンテーブルが備えられるので、このモータは、出力軸の軸線と一致する回転軸線とディスクの記録面とが垂直または極めて垂直に近い状態で、ディスクを回転駆動することができる。したがってディスクを、面振れが防止された回転特性が良好な安定した状態で回転駆動することができる。
【００３３】
【発明の実施の形態】
図１は、本発明の実施の一形態のターンテーブル２０を備えるディスク駆動用のモータ２１を示す断面図である。図２は、ターンテーブル２０を軸線方向一方側から見て示す斜視図であり、図３は、ターンテーブル２０の一部を拡大して示す断面図である。ディスク２２を駆動するためのモータ２１は、ディスク２２を回転駆動するためのモータである。ディスク２２は、調心のための中央孔４５が形成される交換可能なディスクであって、たとえばディスク状記録媒体であってもよく、具体的にはＤＶＤ、ＣＤ−ＲＯＭおよびＣＤであってもよいし、その他のたとえば光磁気ディスクであってもよい。このモータ２１は、ターンテーブル２０と、ターンテーブル２０を回転駆動するモータ本体２３とを含む。
【００３４】
モータ本体２３は、たとえばモータ２１が設けられる電気機器の機体にベースプレート２４を介して固定されるステータ２５と、ステータ２５に対して回転自在に設けられるロータ２６とを含み、モータ２１の出力軸である回転軸２８を回転駆動する。ステータ２５は、コイル３０を含み、ロータ２６は、永久磁石片３１を含む。回転軸２８は、その軸線Ｌ１０を鉛直に配置して、ステータ２５に保持される軸受手段２７によって、軸線Ｌ１０まわりに回転自在に支持されており、この回転軸２８にロータ２６が固定されている。ステータ２５のコイル３０が励磁されると、コイル３０と永久磁石片３１との磁気作用によってロータ２６がステータ２５に対して回転され、これによって回転軸２８が軸線Ｌ１０まわりに回転駆動される。
【００３５】
ターンテーブル２０は、図２の斜視図が示すように、大略的に円板状であって、回転軸２８のモータ本体２３から上方に突出する部分に、回転軸２８と同軸に固定される（便宜上、ターンテーブル２０の軸線にも、符号「Ｌ１０」を付す）。このターンテーブル２０は、固定部３３を有する基台３４と、支持部３５と、調心部３６とを含み、これらが同軸にかつ一体に形成されている。具体的には、ターンテーブル２２は、ゴム、好ましくはフィラーを含有するゴムによって、一体成型される。
【００３６】
基台３４は、図１の一部拡大図である図３を参照して、ターンテーブル２０の軸線Ｌ１０を中心軸線とする円板状であり、中心部に円筒状の取付孔３７が形成され、この取付孔３７を周方向全周にわたって外囲するように取付部５９を有する。したがって基台３４は、中央部に円環状の取付部５９を有し、この取付部５９の内周部が固定部３３に相当する。さらに基台３４は、この取付部５９の外周部から周方向全周において半径方向外方に延出する円環状の延出部３８を有する。固定部３３を含む取付部５９は、延出部３８よりも軸線方向の厚みが大きく形成され、剛性が高くなるように形成されている。
【００３７】
支持部３５は、基台３４の外周部、本実施の形態では延出部３８の最外周部から、回転軸２８に固定されたとき、モータ本体２３から離反する側（上方側）となる軸線方向一方側に突出して形成される。この支持部３５は、周方向全周に延びる円環状であり、その軸線方向一方側の表面である支持面４０は、ターンテーブル２０の軸線Ｌ１０に対して垂直または極めて垂直に近い（本実施の形態では垂直）平面に形成される。
【００３８】
調心部３６は、基台３４の中央部または中央部付近、本実施の形態では、取付部５９の最外周部から、支持部３５と同一の軸線方向一方側に支持部３５よりも突出して形成される。この調心部３６は、周方向全周に延びる円環状であり、内周面４１は円筒状であり、外周面は基端側外周面４２が円筒状かつ遊端側外周面４３が円錐台状に形成される。基端側外周面４２は、支持部３５の支持面４０よりも軸線方向一方側の領域を有しており、外径がディスク２２の内周面（中央孔４５に臨む面）の内径と同一またはわずかに大きく形成される。遊端側外周面４３は、基端側外周面４２に連なり、固定部３３から遠ざかるように先端に向かうにつれて縮径し、最先端における外径がディスク２２の内周面の内径よりも小さく形成されている。調心部３６の半径方向内方側に、同軸の円環状の凹所４７が形成され、この凹所４７に嵌まり込んで永久磁石片４８および強磁性体片４９が設けられる。
【００３９】
このようなターンテーブル２０は、図１に示すように、取付孔３７に回転軸３８を挿通して、嵌合いまたは接着などによって、モータ本体２３から上方に間隔をあけて、回転軸２８に固定される。このターンテーブル２０に、中央孔４５に調心部３６が挿通され、支持部３５の支持面４０で軸線方向一方のディスク面４６が支持された状態で、ディスク２２が載置される。このとき調心部３６が上述のように形成されるので、ディスク２２は、内周面が遊端側外周面４３に案内されて基端側外周面４２に導かれ、かつ基端側外周面４２によって周方向全周にわたって半径方向に支持され、これによってターンテーブル２２に調心されて、ターンテーブル２２と同軸になる位置で支持される。
【００４０】
モータ２１は、図３に示すように、ディスク２２をクランプするためのクランプ体５３を含む。このクランプ体５３は、ターンテーブル２０の上方（モータ本体２３から遠ざかる方向）に、上下方向、たとえばターンテーブル２０の軸線Ｌ１０方向に変位可能に設けられる。クランプ体５３は、中央部の円板状の被吸引部５４と、被吸引部５４を外囲する環状の当接部５５とを有しており、少なくとも被吸引部５４は、強磁性材料から成る。
【００４１】
ディスク２２は、図１に示すように、クランプ体５３が、ターンテーブル２０に設けられる永久磁石片４８によって下方に磁気吸引されることによって、ターンテーブル２０の支持部３５とクランプ体５３の当接部５５とに挟まれてクランプされ、ターンテーブル２０に載置された状態で保持される。このようにディスク２２が保持された状態で、ターンテーブル２０が回転軸２８を介してモータ本体２３によって回転駆動され、ターンテーブル２０に載置されるディスク２２を回転駆動することができる。このようなモータ２１を再生および記録装置に搭載し、ディスク２２を回転しながら、ディスク２２の記録面に、再生および記録装置の図示しないピックアップ手段によって、読取り用のレーザ光を照射して記録されている情報を読取り再生し、および書込み用レーザ光を照射して情報を書込み記録することができる。ここで記録面は、図示しないが、ディスク面４６と平行である。
【００４２】
ディスク２２がターンテーブル２０に載置された状態で、ディスク２２の記録面が回転軸線（回転軸２８およびターンテーブル２０の軸線Ｌ１０と一致）に対して垂直でないと、従来の技術に関連して述べたように、面振れを生じ、これに伴ってレーザ光の焦点位置のずれおよびコマ収差などを生じ、動作不良が発生する。この不具合は、たとえば高密度に情報が記録されるＤＶＤであっても、回転軸線に垂直な平面に対する記録面のティルト角が０．３３ｍｒａｄ（＝０．０２ｄｅｇ）以下であれば、防ぐことが可能である。これを実現するためには、記録面と平行なディスク面４６を支持する支持面４０を回転軸線に対して垂直または垂直に極めて高くする必要がある。
【００４３】
これに対して、本発明のターンテーブル２０は、少なくとも固定部３３と支持部３５とが、本実施の形態では、基台３４、支持部３５および調心部３６が、ゴムによって一体成型され、ディスク２２に対する滑止め効果が必要とされる支持部３５を固定部３３と一体とすることができる。したがって全体の寸法精度の高いターンテーブル２２を得て、支持面４０がターンテーブル２２の軸線に対して垂直に形成されるので、回転軸２８の軸線Ｌ１０と一致する回転軸線に対する垂直度に影響を与える因子は、ターンテーブル２０の回転軸２８への取付精度だけである。
【００４４】
このように支持面４０の回転軸線に対する垂直への影響因子を１つだけにすることができるので、ターンテーブル２０は、支持面４０を回転軸線に対して垂直または極めて垂直に近い状態でモータ２１に設けることができる。支持面４０が回転軸線に対して垂直または極めて垂直に近い状態とは、上述した焦点位置のずれおよびコマ収差に伴う動作不良を生じないように、ディスク２２を支持できる垂直度が高い状態であって、具体的には回転軸線に垂直な平面に対する支持面４０のティルト角が０．３３ｍｒａｄ以下である。これによって支持面４０で支持されたディスク２２の記録面を、前記ティルト角が０．３３ｍｒａｄ以下になるように、ターンテーブル２２はディスク２２を載置することができる。またターンテーブル２０は、調心部３６も一体に形成されるので、高い精度でディスク２２を調心することができる。
【００４５】
さらにターンテーブル２０を形成するゴムには、フィラーを含有させることが好ましく、このようなフィラー含有ゴムによって形成することによって、ゴムだけの場合と比べて、同一寸法における剛性を高くすることができる。これによってターンテーブル２０の厚みを大きくするなど、寸法を大きくすることなく、ディスク２２を支持するために必要とされる十分な剛性を得ることができる。したがって固定部３３と支持部３５とをゴムによって一体成型して寸法精度の高いターンテーブル２０を用いて、このターンテーブル２０が変形することを防止してディスク２０をしっかり支持することができる。
【００４６】
フィラーは、たとえばガラスフィラーであってもよいし、カーボンフィラーであってもよいし、また金属フィラーであってもよいし、その他の材質のフィラーであってもよい。ガラスフィラー、カーボンフィラーおよび金属フィラーなどは、入手が容易である。
【００４７】
またフィラーの含有量は、固定部３３が多く、支持部３５が少ないように、含有させることが好ましく、さらに具体的には、支持部３５の含有量だけを残余の部分の含有量よりも少なくしてもよい。また支持部３５は、残余の部分よりも少量のフィラーを含有してもよいし、全く含有しなくてもよい。
【００４８】
このように含有量を固定部３３と支持部３５とで異ならせ、固定部３３は剛性を高くすることができるとともに、支持部３５は剛性を低くすることができる。これによってゴムによる一体成型されたターンテーブル２０であっても、ディスク２２を載置するときに最も大きな曲げモーメントが作用する固定部３３での変形を防止することができるとともに、ディスク２２を支持する支持部３５は、ディスク２２になじみやすくして滑らないようにすることができる。
【００４９】
特に支持部３５を除く残余の部分のフィラー含有量を固定部３３と同様に多くすることによって、基台３４の剛性を高くして基台３４が変形しないようにして、ディスク２２を配置されるべき所定位置（記録面状で前記レーザ光が焦点する位置）で確実に支持することができ、調心部３６の剛性を高くして、ディスク２２の調心効果を確実に達成することができる。また調心部３６の剛性を高くすることによって、基台３４が立上がるように形成される調心部３６がリブとして高く機能し、基台３４の変形防止に大きく寄与することができる。
【００５０】
また支持部３５のフィラー含有量を０とし、ディスク２２へのなじみを極めて高くすることができる。また支持部３５にもフィラーを含有させることによって、支持部３５自体の変形を抑制することができ、ディスク２２の記録面の回転軸線に対する垂直度が極めて高い状態で確実に支持することができる。これら支持部３５におけるなじみ性および記録面の高い垂直度の維持は、フィラーの含有量によって相反して効果の度合が高くなるので、両者を考慮し、支持部３５のフィラー含有量を適宜選択することができる。
【００５１】
またフィラーは、繊維状フィラーであることが好ましく、このように繊維状フィラーを用いた場合には、マトリックスであるゴムをフィラーにからみやすくすることができる。したがってゴムとフィラーとの関連性を高くし、剛性をより高くすることができる。
【００５２】
さらにフィラーとして繊維状フィラーを用いる場合、固定部から支持部に向かう方向に配向することが好ましい。このように繊維状フィラーを固定部３３から支持部３５に向かう方向に、したがってターンテーブル２０の中心から放射状に延びる方向に配向することによって、固定部３３に対して支持部３５を軸線方向に変位させるような曲げに対して剛性をより高くすることができる。したがってディスク２２を載置する好適なターンテーブル２０を実現することができる。このように繊維状フィラーを配向させる場合には、強磁性材料から成る繊維状フィラーを用いることが好ましく、これによって成型時に、ターンテーブル２０の中心付近と外周部付近全周とに、相互に異なる極性の磁極有する磁界を形成することによって、フィラーを上述のように容易に配向させることができる。
【００５３】
またターンテーブル２０を成型するゴムは、天然ゴムおよび合成ゴムのいずれであってもよいけれども、クロロプレンゴムであることが好ましい。クロロプレンゴムによって成型することによって、支持部３５のポリカーボネートに対する大きな摩擦抵抗を得ることができる。ＤＶＤ、ＣＤ−ＲＯＭおよびＣＤなどは、ポリカーボネートから成っており、これらのディスクを確実に滑べらないように、支持部３５によって支持することができる。
【００５４】
またターンテーブル２０をゴムによって成型することによって、ターンテーブル２２における熱伝導率を低くし、金属などから成る場合に比べて、モータ本体２３において発生する熱がディスク２２に伝わりにくくすることができる。さらに本実施の形態のように、ターンテーブル２０をモータ本体２３、具体的にはロータ２６のヨーク５８から上方に離間して設けることによって、モータ本体２３から熱がターンテーブル２０に伝わりにくくすることができ、したがってモータ本体２３からディスク２２への熱の移動を防ぐことができるとともに、ターンテーブル２０自体の熱変形を抑制し、ディスク２０を、記録面の回転軸線に対する高い垂直度を確実に維持して支持することができる。このようにモータ本体２３から離間してターンテーブル２０を設けるときには、特にフィラーを含有させることが好ましく、これによってゴムから成るターンテーブル２０であっても、それ自体の剛性によって変形することなく、ディスク２２を支持することができる。なおヨーク５８は、回転軸２８に固定され、永久磁石片３１を保持する磁性金属から成る有底筒状の部材である。
【００５５】
また固定部３３を含む取付部５９の厚みを大きくして、かつこれによっても取付部５９の剛性を高くすることができるとともに、延出部３８の質量を小さくして、この自重による曲げモーメントを小さくし、ターンテーブル２０を変形しにくくすることができる。
【００５６】
このようなターンテーブル２０がディスク２２を駆動するためのモータ２１には設けられるので、このモータは、回転軸２８の軸線Ｌ１０と一致する回転軸線とディスク２２の記録面とが垂直または極めて垂直に近い状態で、ディスク２２を回転駆動することができる。これによってディスク２２を、面振れが防止された回転特性が良好な安定した状態で回転駆動することができる。したがってこのモータ２１を備える再生および記録装置を用いて、読取りおよび書込み用のレーザ光をディスク２２の記録面でかつコマ収差が発生しない状態で焦点させることができ、高密度に記録されるディスク２２であっても、エラーが発生しないようにして動作不良が発生することなく、ディスク２２の再生および記録をすることができる。
【００５７】
図４は、本発明の実施の他の形態のターンテーブル２０Ａの一部を拡大して示す断面図である。この実施の形態のターンテーブル２０Ａは、図１〜図３に示す実施の形態のターンテーブル２０と類似しており、同様の構成を有する部分は、同一の符号を付し、説明を省略する。ターンテーブル２０Ａは、剛性の高い芯材６０が設けられる。芯材６０は、たとえば金属および合成樹脂から成り、円環板状の部材であって、基台３４に埋没されて設けられ、半径方向に関して基台３４の最内周部付近から最外周部付近まで設けられている。換言すれば、芯材６０は、固定部３３付近から支持部２５の下方となる部分にわたって設けられている。
【００５８】
このように剛性の高い芯材６０が設けることによって、上述のように芯材６０を用いない構成と比べて、同一寸法における剛性を高くすることができる。これによってターンテーブル２０の厚みを大きくするなど、寸法を大きくすることなく、ディスク２２を支持するために必要とされる十分な剛性を得ることができる。したがって固定部３３と支持部３５とをゴムによって一体成型して寸法精度の高いターンテーブル２２を用いて、このターンテーブル２２が変形することを防止してディスク２２をしっかり支持することができる。
【００５９】
この芯材６０は、その材質を、芯材６０に必要とされる剛性、重量およびコストを考慮して、適宜選択することができる。またこの芯材６０は、たとえば薄肉の基板から軸線方向に突出しかつ放射状に延びるリブが形成される形状など、軽量でかつ剛性を高くすることができる形状にしてもよいし、このような形状は、金属によって芯材６０を形成するにあたって、ターンテーブル２０を極めて軽量化できるので好適である。また芯材６０を設ける場合、ゴムは、フィラーを上述のように含有してもよいし、フィラーを含有しなくてもよいが、フィラーを含有することが好ましく、これによって芯材６０による剛性の向上と、フィラーによる剛性の向上とが図れ、より剛性を高くすることができる。
【００６０】
図５は、本発明の実施のさらに他の形態のターンテーブル２０Ｂの一部を拡大して示す断面図である。この実施の形態のターンテーブル２０Ｂは、図４に示す実施の形態のターンテーブル２０Ａと類似しており、同様の構成を有する部分は、同一の符号を付し、説明を省略する。ターンテーブル２０Ｂは、芯材６０Ｂが設けられる。このターンテーブル２０Ｂでは、ターンテーブル２０Ａに形成された凹所４７が形成されておらず、固定部３３が軸線方向一方側に調心部３６と同一位置（高さ）まで形成され、固定部３３と調心部３６との間にもゴムが充填されている。
【００６１】
芯材６０Ｂは、たとえば金属および合成樹脂から成り、大略的に円環板状の基部６１と、基部６１の内周部に軸線方向一方側に突出する筒部６２とを有する部材であって、基部６１が芯材６０にほぼ相当する。芯材６０Ｂは、基台３４に基部６１が埋没され、筒部６２が固定部３３に沿って軸線方向一方側に突出するように固定部３３と調心部３６との間において埋没されるように、設けられる。筒部６２は、固定部３３に近接しており、基部６１は、半径方向に関して基台３４の最内周部付近から最外周部付近まで設けられている。換言すれば、芯材６０Ｂは、固定部３３付近から支持部２５の下方となる部分にわたって設けられている。
【００６２】
このように芯材６０Ｂもまた、図４に示す実施の形態の芯材６０と同様に、ターンテーブル２０Ｂの剛性を高くできる効果を達成することができる。しかも筒部６２を有するので、固定部３３付近の剛性をより高くすることができ、さらに好適である。また固定部３３の軸線方向寸法が大きくなり、これによっても支持面４５と回転軸線との垂直度をさらに高くして、ターンテーブル２０を設けることができる。また断面形状を適宜選択して、軽量でかつ剛性の高い芯材６０Ｂとすることがきる。
【００６３】
またこの芯材６０Ｂは、強磁性材料から成る。さらに上述のように筒部６２を有しており、上述クランプ体５３において、被吸引部５４に代えて永久磁石片を有するクランプ体を用いることによって、同様の磁気吸引作用によって、ディスク２２をクランプすることが可能になる。したがってターンテーブル２０の剛性を高くするための芯材６０Ｂを、ディスク２２をクランプするためにも利用することができる。したがってターンテーブル２２に、強磁性材料または永久磁石片などのディスクをクランプするための部材を、別途に設ける必要がない。
【００６４】
図６は、本発明の実施のさらに他の形態のターンテーブル２０Ｃを軸線方向他方側（下側）から見て示す斜視図である。この実施の形態のターンテーブル２０Ｃは、図１〜図３に示す実施の形態のターンテーブル２０と類似しており、同様の構成を有する部分は、同一の符号を付し、説明を省略する。ターンテーブル２０Ｃは、軸線方向の少なくともいずれか一方の表面部、本実施の形態においては、軸線方向他方側（下方側）の表面部に円環状リブ７０および複数の放射状リブ７１が形成される。
【００６５】
このリブ７０は、基台３４の最外周部から軸線方向他方側に突出し、周方向全周にわたって延びて形成される。各放射状リブ７１は、周方向に等間隔にたとえば５つ、取付部５９と円環状リブ７０とにわたって半径方向に延びて形成される。このように各リブ７０，７１を形成することによって、ターンテーブル２０Ｃの重量をできるだけ小さくしてかつ剛性を高くすることができる。
【００６６】
図７は、本発明の実施のさらに他の形態のターンテーブル２０Ｄを軸線方向他方側から見て示す斜視図である。この実施の形態のターンテーブル２０Ｄは、図６に示すターンテーブル２０Ｃの各放射状リブ７１に代えて円環状リブ７２が形成され、したがって２つの円環状リブ７０，７２が形成される。円環状リブ７２は、取付部５９と円環状リブ７０との間に、同心円状に形成される。このような各リブ７０，７２が形成されるターンテーブル２０Ｄは、ターンテーブル２０Ｃと同様の効果を達成することができる。
【００６７】
上述の各実施の形態のうち、芯材６０，６０Ｂが設けられない各ターンテーブル２０，２０Ｃ，２０Ｄは、たとえば２つの金型を合わせて、成型空間を形成し、この成型空間にゴムラテックスを注入し、この状態で加熱するなどの適宜の方法でゴムラテックスを硬化させ、各ターンテーブル２０，２０Ｃ，２０Ｄを成型することができる。この後、型割をして、成型品である各ターンテーブル２０、２０Ｃ，２０Ｄを、金型から取出して得ることができる。このように芯材を用いないターンテーブルは、単に金型によって形成した成型空間内にゴムラテックスを注入して硬化させることによって、製造することができる。
【００６８】
芯材６０，６０Ｂを内蔵する各ターンテーブル２０Ａ，２０Ｂは、成型空間を形成する２つの金型の少なくとも一方に、芯材６０，６０Ｂを保持するための保持ピンを設け、この保持ピンによって成型空間内に芯材６０，６０Ｂを保持しておき、この状態でゴムラテックスを注入して硬化して、成型することができる。この後、同様に型割をして金型から取りだして、成型品を得る。このようにして、芯材を有するターンテーブルも容易に製造することができる。
【００６９】
本発明は、上述の各実施の形態に限定されるものではなく、本発明の範囲内において変更することができる。たとえば調心部は、ゴムによって一体成型する構成に代えて、半径方向または軸線方向に弾発的に変形する爪を用いて調心する構成の調心部を別体に形成して、取付けるようにしてもよいし、このような爪を有する調心部を、成型時に部分的に埋め込むようにして、一体に形成してもよい。また各リブ７０〜７２も、本数などを適宜変更できるし、組合わせて係止してもよいし、単独で形成してもよい。さらに芯材６０，６０Ｂを有するターンテーブルに各リブ７０〜７２を組合わせて形成するようにしてもよい。
【００７０】
【発明の効果】
請求項１記載の本発明によれば、固定部と支持部と調芯部とが別体である場合に比べて、ターンテーブル自体の寸法精度を高くし、支持部のディスクを支持する支持面を、ターンテーブルの軸線に対して垂直または極めて垂直に近く形成することができ、調芯部をターンテーブルと同軸に設けることができる。このようなターンテーブルは、支持面が出力軸の軸線に垂直または極めて垂直に近い状態で、出力軸に固定することができ、ディスクを、その記録面が出力軸の軸線に垂直または極めて垂直に近い状態で載置することができ、高い精度で調芯することができる。
【００７１】
請求項２記載の本発明によれば、芯材によって寸法を大きくすることなく、ディスクを支持する十分な剛性を得ることができる。したがって固定部と支持部とをゴムによって一体成型するターンテーブルを用いて、このターンテーブルが変形することを防止してディスクをしっかり支持することができる。
【００７２】
請求項３記載の本発明によれば、クランプ体に磁極を形成することによって、ターンテーブルの剛性を高くするための芯材を、ディスクをクランプするためにも利用することができ、ターンテーブルに、強磁性材料または永久磁石片などのディスクをクランプするための部材を、別途に設ける必要がない。
【００７３】
請求項４記載の本発明によれば、フィラーによって寸法を大きくすることなく、ディスクを支持する十分な剛性を得ることができる。したがって固定部と支持部とをゴムによって一体成型するターンテーブルを用いて、このターンテーブルが変形することを防止してディスクをしっかり支持することができる。
【００７４】
請求項５記載の本発明によれば、ディスクを載置するときに大きな曲げモーメントが作用する固定部での変形を防止することができるとともに、ディスクを支持する支持部は、ディスクになじみやすくして、ディスクが滑らないようにすることができる。
【００７５】
請求項６記載の本発明によれば、マトリックスであるゴムをフィラーにからみやすくし、ゴムとフィラーとの関連性を高くして、剛性をより高くすることができる。
【００７６】
請求項７記載の本発明によれば、固定部に対して支持部を軸線方向に変位させるような曲げに対して剛性をより高くすることができ、ディスクを載置する好適なターンテーブルを実現することができる。
【００７７】
請求項８記載の本発明によれば、表面部および裏面部の少なくともいずれか一方に、リブが形成されるので、ターンテーブルの重量を小さくしてかつ剛性を高くすることができる。
【００７８】
請求項９記載の本発明によれば、モータは、出力軸の軸線と一致する回転軸線とディスクの記録面とが垂直または極めて垂直に近い状態で、ディスクを回転駆動することができるので、ディスクを、面振れが防止された回転特性が良好な安定した状態で回転駆動することができる。
【図面の簡単な説明】
【図１】本発明の実施の一形態のターンテーブル２０を備えるディスク駆動用のモータ２１を示す断面図である。
【図２】ターンテーブル２０を示す表面斜視図である。
【図３】ターンテーブル２０の一部を拡大して示す断面図である。
【図４】本発明の実施の他の形態のターンテーブル２０Ａの一部を示す断面図である。
【図５】本発明の実施のさらに他の形態のターンテーブル２０Ｂの一部を示す断面図である。
【図６】本発明の実施のさらに他の形態のターンテーブル２０Ｃを示す裏面の斜視図である。
【図７】本発明の実施のさらに他の形態のターンテーブル２０Ｄを示す裏面の斜視図である。
【図８】従来の技術のターンテーブル１を備えるモータ２を示す断面図である。
【図９】他の従来の技術のターンテーブル１１を備えるモータ１２を示す断面図である。
【符号の説明】
２０，２０Ａ〜２０Ｄ  ターンテーブル
２１  モータ
２２  ディスク
２３  モータ本体
３３  固定部
３５  支持部
４０  支持面
Ｌ１０  軸線
【図１】
0003906002.tif 000002
【図２】
0003906002.tif 000003
【図３】
0003906002.tif 000004
【図４】
0003906002.tif 000005
【図５】
0003906002.tif 000006
【図６】
0003906002.tif 000007
【図７】
0003906002.tif 000008
【図８】
0003906002.tif 000009
【図９】
0003906002.tif 000010